(57)【要約】【課題】施工する場所の長さに合わせて長さを自由に調整でき、施工が容易であって、さらにデザイン性にも優れた間仕切り支柱を提供する。【解決手段】この間仕切り支柱１０は、木質により形成される間仕切り支柱１０であって、一方面から他方面までの横断面形状が同一である第１支柱２０と第２支柱４２とからなる一対の支柱と、第１支柱２０と第２支柱４２とを結合するための結合部材５０と、第１支柱２０または第２支柱４２を第１被固定部たる天側の天井面１００および第２被固定部たる地側の床面１０２にそれぞれ固定するための第１固定部６０ａおよび第２固定部６０ｂとを含む。第１支柱２０および第２支柱４２をそれぞれの裏面２８における幅方向の略中央には、結合部材５０を嵌合するため、ならびに第１固定部６０ａおよび第２固定部６０ｂを設けるために、一方面から他方面までの長さを有する溝部３４が形成される、間仕切り支柱１０である。【選択図】図３
2011052407.tif 000002
【特許請求の範囲】
【請求項１】
木質により形成される間仕切り支柱であって、
一方面から他方面までの横断面形状が同一である第１支柱と第２支柱とからなる一対の支柱と、
前記第１支柱と前記第２支柱とを結合するための結合部材と、
前記第１支柱または前記第２支柱を第１被固定部に固定するための第１固定部および第２被固定部に固定するための第２固定部とを含み、
前記第１支柱および前記第２支柱のそれぞれの裏面における幅方向の略中央には、前記結合部材を嵌合するため、ならびに前記第１固定部および前記第２固定部を設けるために、前記一方面から前記他方面までの長さを有する溝部が形成される、
間仕切り支柱。
【請求項２】
前記第１被固定部は、天側であり、前記第２被固定部は、地側である、請求項１に記載の間仕切り支柱。
【請求項３】
前記第１支柱および前記第２支柱の表面には、Ｖカット溝が形成された表面板材が貼着されている、請求項１または請求項２に記載の間仕切り支柱。
【請求項４】
前記第１支柱および前記第２支柱の表面には、可撓性のシートである表面シートが貼着されている、請求項１または請求項２に記載の間仕切り支柱。
【請求項５】
前記第１支柱および前記第２支柱には、表面シートを貼り付けた表面板材が貼着されている、請求項１または請求項２に記載の間仕切り支柱。
【請求項６】
木質により形成される間仕切り支柱の施工方法であって、
第２被固定部に第２固定部を構成する固定部材を接合手段により固定し、
前記第２被固定部に固定された前記第２固定部を構成する固定部材に対して対向する方向における第１被固定部に、第１固定部を構成する固定部材を接合手段により固定し、
前記第２固定部を構成する固定部材を第１支柱の裏面に形成された溝部の他方端部に接合手段により固定し、前記第１固定部を構成する固定部材を第１支柱の裏面に形成された溝部の一方端部に接合手段により固定し、
前記第１支柱の溝部に結合部材を接着剤により嵌合し、
前記第１支柱と第２支柱のそれぞれの裏面を接着剤により接合する、
間仕切り支柱の施工方法。
【発明の詳細な説明】
【技術分野】
【０００１】
この発明は、室内の間仕切りや目隠し等に使用する間仕切り支柱に関する。
【背景技術】
【０００２】
従来の間仕切り支柱として、図１０に示すように、上下方向に向けられた多数本を１本１本独立して形成した間仕切り支柱２００であって、この間仕切り支柱２００を構成する支柱本体の端面に取り付ける基板２０２と、その支持軸を突設してなる受板２０４とからなり、支持軸が支柱本体内に出入自在に形成すべくアジャスト具２０６が弾性体により形成される間仕切り支柱２００が提案されている（特許文献１参照）。
【先行技術文献】
【特許文献】
【０００３】
【特許文献１】特開２００４−３０８３９１号公報
【発明の概要】
【発明が解決しようとする課題】
【０００４】
室内の間仕切りや目隠し等の用途に使用される間仕切り支柱は、室内におけるインテリア等にも利用されることから、間仕切り支柱の外観から生ずる美感（デザイン性）は、間仕切り支柱を構成する重要な項目の１つである。しかしながら、このような従来の間仕切り支柱２００では、外観においてアジャスト具２０６の部材である圧縮スプリング２０８が視認できる状態で支柱本体の上部および下部に設けられているので、間仕切り支柱２００の外観から生じる美感を損なう問題がある。
【０００５】
それゆえに、この発明の主たる目的は、施工する場所の長さに合わせて長さを自由に調整でき、施工が容易であって、さらにデザイン性にも優れた間仕切り支柱を提供することである。
【課題を解決するための手段】
【０００６】
この発明にかかる間仕切り支柱は、木質により形成される間仕切り支柱であって、一方面から他方面までの横断面形状が同一である第１支柱と第２支柱とからなる一対の支柱と、第１支柱と第２支柱とを結合するための結合部材と、第１支柱または第２支柱を第１被固定部に固定するための第１固定部および第２被固定部に固定するための第２固定部とを含み、第１支柱および第２支柱のそれぞれの裏面における幅方向の略中央には、結合部材を嵌合するため、ならびに第１固定部および第２固定部を設けるために、一方面から他方面までの長さを有する溝部が形成される、間仕切り支柱である。
また、この発明にかかる間仕切り支柱では、第１被固定部は、天側であり、第２被固定部は、地側であることが好ましい。
さらに、この発明にかかる間仕切り支柱では、第１支柱および第２支柱の表面には、Ｖカット溝が形成された表面板材が貼着されていることが好ましい。
さらにまた、この発明にかかる間仕切り支柱では、第１支柱および第２支柱の表面には、可撓性のシートである表面シートが貼着されていることが好ましい。
また、この発明にかかる間仕切り支柱では、第１支柱および第２支柱には、表面シートを貼り付けた表面板材が貼着されていることが好ましい。
この発明にかかる間仕切り支柱の施工方法では、木質により形成される間仕切り支柱の施工方法であって、第２被固定部に第２固定部を構成する固定部材を接合手段により固定し、第２被固定部に固定された第２固定部を構成する固定部材に対して対向する方向における第１被固定部に、第１固定部を構成する固定部材を接合手段により固定し、第２固定部を構成する固定部材を第１支柱の裏面に形成された溝部の他方端部に接合手段により固定し、第１固定部を構成する固定部材を第１支柱の裏面に形成された溝部の一方端部に接合手段により固定し、第１支柱の溝部に結合部材を接着剤により嵌合し、第１支柱と第２支柱のそれぞれの裏面を接着剤により接合する、間仕切り支柱の施工方法である。
【発明の効果】
【０００７】
この発明にかかる間仕切り支柱では、第１支柱および第２支柱の裏面における幅方向の略中央には、溝部が形成されているので、その溝部に結合部材を嵌合させることで、第１支柱および第２支柱を結合する際に、幅方向にずれることなく容易に結合させることができる。
また、この発明にかかる間仕切り支柱では、第１支柱および第２支柱は、その一方面から他方面までの横断面形状が同一に形成されているので、この発明にかかる間仕切り支柱を施工する際に、その施工する場所の長さに合致するように適宜切断することで、自由に長さを調整することができる。
また、この発明にかかる間仕切り支柱では、結合部材を設けることにより、第１支柱と第２支柱とを結合させたときに生じる反りを防止することができる。
さらに、この発明にかかる間仕切り支柱では、溝部の部分に、第１支柱または第２支柱を第１被固定部に固定するための第１固定部および第２被固定部に固定するための第２固定部を設けることができることから、外部から第１固定部および第２固定部が隠れるので、デザイン性にも優れた間仕切り支柱を形成することができる。
また、この発明にかかる間仕切り支柱では、第１支柱および第２支柱の表面に、表面板材または表面シートが貼着されると、第１支柱および第２支柱を保護することができる。
さらにまた、この発明にかかる間仕切り支柱では、第１支柱および第２支柱に、表面シートを貼り付けた表面板材が貼着されると、表面板材は、表面シートにより保護されると共に、第１支柱および第２支柱は、表面板材により保護することができる。
【０００８】
この発明の上述の目的、その他の目的、特徴および利点は、図面を参照して行う以下の発明を実施するための形態の説明から一層明らかとなろう。
【図面の簡単な説明】
【０００９】
【図１】この発明にかかる間仕切り支柱の実施形態を示す斜視図解図である。
【図２】この発明にかかる間仕切り支柱の横断面図である。
【図３】この発明にかかる間仕切り支柱を天井面および床面に取り付けた状態を示す右側面の方向から見た縦断面図である。
【図４】この発明にかかる間仕切り支柱の第１支柱を天井面および床面に取り付けた状態を裏面の方向から見た図である。
【図５】この発明にかかる間仕切り支柱に使用する表面板材の製作過程を示す断面図解図である。
【図６】図４に示す固定部材の変形例たる固定部材を示す斜視図解図である。
【図７】図６に示す表面板材の変形例たる表面板材の製作過程を示す断面図解図である。
【図８】この発明にかかる間仕切り支柱の施工過程を示す分解斜視図である。
【図９】この発明にかかる間仕切り支柱の他の実施形態を示す斜視図解図である。
【図１０】従来の間仕切り支柱を示す図である。
【発明を実施するための形態】
【００１０】
図１は、この発明にかかる間仕切り支柱１０の実施形態を示す斜視図解図であり、図２は、間仕切り支柱１０における横断面図であり、図３は、間仕切り支柱１０を第１被固定部たる天側の天井面１００および第２被固定部たる地側の床面１０２に取り付けた状態を示す右側面３０の方向から見た縦断面図である。また、図４は、間仕切り支柱１０における第１支柱２０を第１被固定部たる天側の天井面１００および第２被固定部たる地側の床面１０２に取り付けた状態を裏面２８の方向から見た図である。さらに、図５は、この発明にかかる間仕切り支柱１０に使用する表面板材７０の製作過程を示す断面図解図である。
【００１１】
間仕切り支柱１０は、複数の間仕切り支柱１０を室内等に施工することで、間仕切り、目隠し、ルーバー、スリット、格子、または化粧間仕切り等に利用されるものである。この間仕切り支柱１０は、第１支柱２０、第２支柱４２、結合部材５０、固定部６０、表面板材７０および表面シート９６により構成される。
【００１２】
第１支柱２０および第２支柱４２は、本発明の間仕切り支柱１０における芯材の役割を構成するために設けられる。間仕切り支柱１０において、第１支柱２０および第２支柱４２は、結合部材５０を介して対向するように構成される。第１支柱２０および第２支柱４２は、同一の形状に形成され、例えば、ＰＢ（パーティクル・ボード）、ＭＤＦ（中密度繊維板：メディアム・デンシティ・ファイバーボード）、合板、および集成材等により形成される。間仕切り支柱１０が施工される際には、第１支柱２０および第２支柱４２のいずれか一方が、例えば、第１被固定部たる天側の天井面１００および第２被固定部たる地側の床面１０２に対して固定部６０により固定される。なお、本実施例においては、第１支柱２０に固定部６０を設けた状態を説明する。
【００１３】
上述したように、第１支柱２０および第２支柱４２は、同一の形状により構成されることから、ここでは、第１支柱２０の構成について説明する。
第１支柱２０は、略直方体に形成される。第１支柱２０を形成している略直方体において、例えば、第１被固定部たる天側の天井面１００と接する一方端側には一方面たる上面２２が形成され、および第２被固定部たる地側の床面１０２と接する他方端側には他方面たる下面２４が形成される。これら上面２２および下面２４は、互いに略平行に形成される。また、第１支柱２０を形成している該直方体において、第２支柱４２と結合する面の反対側の面には、表面２６が形成され、第２支柱４２と結合する面には裏面２８が形成される。これら表面２６および裏面２８は、互いに略平行に形成される。さらに、上面２２の両端部から下方向に、かつ垂直方向で、また、下面２４の両端部から上方向に、かつ垂直方向で、右側面３０および左側面３２が形成される。また、右側面３０は、表面２６の右端部側および裏面２８の左端部側と垂直に接続しており、また、左側面３２は、表面２６の左端部側および裏面２８の右端部側と垂直に接続している。これら右側面３０および左側面３２は、互いに略平行に形成される。そして、第１支柱２０は、上面２２から下面２４まで、横断面形状が略同一に形成される。
【００１４】
第１支柱２０の裏面２８における幅方向の略中央には、上面２２から下面２４までの長さの溝部３４が形成される。溝部３４は、裏面２８に平行に形成された底面３４ａ、裏面２８に垂直に形成された第１側面３４ｂおよび第２側面３４ｃの３面により形成される。したがって、溝部３４は、断面略矩形に形成され、結果、第１支柱２０の断面は、略コ字型に形成される。裏面２８における溝部３４の両側（すなわち、裏面２８において溝部３４を除く部分）には、第１結合面３６および第２結合面３８が形成される。したがって、第１支柱２０および第２支柱４２を結合させたとき、溝部３４により略直方体の空間が形成されるので、固定部６０をその溝部３４の一方端部３４ｄおよび他方端部３４ｅに固定することで、固定部６０を外観から視認されないように、完全に覆い隠すことができる。
【００１５】
結合部材５０は、第１支柱２０および第２支柱４２が、左右方向にずれることなく結合させるために設けられる。すなわち、第１支柱２０および第２支柱４２は、結合部材５０を介して結合される。第１支柱２０および第２支柱４２が結合される際に、結合部材５０は、第１支柱２０および第２支柱４２に形成されるそれぞれの溝部３４に嵌合される。結合部材５０は、略直方体に形成される。すなわち、結合部材５０には、一対の第１嵌合面５２および一対の第２嵌合面５４が形成される。一対の第１嵌合面５２は、互いに略平行に形成され、また、一対の第２嵌合面５４も、互いに略平行に形成される。さらに、結合部材５０の第１嵌合面５２および第２嵌合面５４により形成される交線には、面取り部５６が形成される。結合部材５０が第１支柱２０に嵌合される際に、第１嵌合面５２は、溝部３４の底面３４ａと接着し、第２嵌合面５４は、溝部３４の第１側面３４ｂおよび第２側面３４ｃと接着する。また、結合部材５０は、例えば、ＭＤＦ（中密度繊維板：メディアム・デンシティ・ファイバーボード）、ＰＢ（パーティクル・ボード）、合板、木材、集成材およびプラスチック等により形成される。
結合部材５０を設けることにより、第１支柱２０と第２支柱４２とを左右方向にずれることなく位置決めした上で、結合させることができる。さらに、第１支柱２０および第２支柱４２の反りの防止をする機能も有する。
【００１６】
固定部６０は、例えば、第１支柱２０または第２支柱４２を第１被固定部たる天側の天井面１００および第２被固定部たる地側の床面１０２に固定するために設けられ、それぞれの固定部６０は、第１固定部６０ａおよび第２固定部６０ｂにより構成される。本実施例においては、第１支柱２０を第１被固定部たる天側の天井面１００および第２被固定部たる地側の床面１０２に固定する場合について説明する。第１固定部６０ａおよび第２固定部６０ｂは、固定部材６２および接合手段６４により構成される。
【００１７】
固定部材６２は、支柱取り付け板部６２ａおよび固定用板部６２ｂにより形成される。固定部材６２は、支柱取り付け板部６２ａと固定用板部６２ｂとが略直交するように、Ｌ字型に形成される。固定部材６２は、例えば、剛性を有する材料により形成され、好ましくは、金属材料により形成される。
接合手段６４は、接合部材６４ａ１，６４ａ２および座金６４ｂにより構成され、例えば、ねじ・ワッシャー等が使用される。支柱取り付け板部６２ａは、接合部材６４ａ１および座金６４ｂにより第１支柱２０の溝部３４の一方端部３４ｄに取り付けられる。そのとき、固定用板部６２ｂは、第１支柱２０の上面２２と略同一平面となるように取り付けられる。同様に、支柱取り付け板部６２ａは、接合部材６４ａ１および座金６４ｂにより第１支柱２０の溝部３４の他方端部３４ｅに取り付けられる。そのとき、固定用板部６２ｂは、第１支柱２０の下面２４と略同一平面となるように取り付けられる。また、固定用板部６２ｂは、接合部材６４ａ２により第１被固定部たる天側の天井面１００および第２被固定部たる地側の床面１０２に取り付けることで固定される。なお、座金６４ｂは、接合部材６４ａ１，６４ａ２の長さの調整、または補強のために用いられるものであり、接合部材６４ａ１，６４ａ２の長さが取り付けに際して適正で、または強度が適正であれば、用いなくてもよい。
【００１８】
表面板材７０は、第１支柱２０および第２支柱４２を保護するとともに、以下に説明するように面取り部を設ける事で、間仕切り支柱１０のデザイン性を高めるために設けられる。表面板材７０は、第１支柱２０および第２支柱４２を覆い被せるように貼着されて設けられる。すなわち、表面板材７０は、第１支柱２０および第２支柱４２のそれぞれの表面２６、右側面３０、左側面３２、第１結合面３６および第２結合面３８に貼着される。表面板材７０は、表面７０ａと貼着面７０ｂとが形成されている。表面板材７０は、第１表面板材７２、第２表面板材７４および第３表面板材７６により構成される。表面板材７０は、例えば、ＭＤＦ（中密度繊維板：メディアム・デンシティ・ファイバーボード）、ＰＢ（パーティクル・ボード）および合板等により形成される。
【００１９】
第１表面板材７２は、第１支柱２０または第２支柱４２の表面２６の大きさと略同一の大きさの略矩形に形成される。第２表面板材７４は、第１支柱２０または第２支柱４２の左側面３２および右側面３０の大きさと略同一の大きさの略矩形に形成される。第３表面板材７６は、第１支柱２０または第２支柱４２の第１結合面３６および第２結合面３８の横方向の幅の半分大きさと略同一の大きさの略矩形に形成される。
【００２０】
第１表面板材７２および第２表面板材７４の境おいて、Ｖカットを施されて形成された第１折曲溝８０が形成される。第２表面板材７４および第３表面板材７６の境において、Ｖカットを施されて形成された第２折曲溝９０が形成される。すなわち、表面板材７０は、平面板として準備され、それぞれＶカットが施されて形成された溝（Ｖカット溝）により区画されることによって、第１表面板材７２、第２表面板材７４および第３表面板材７６が形成される。第１折曲溝８０および第２折曲溝９０は、同一の構成であることから、以下において、第１折曲溝８０の構成について説明する。
【００２１】
第１折曲溝８０は、表面板材７０の貼着面７０ｂから表面７０ａの方向に向けて施されたＶカット加工により形成される。そして、溝底から表面板材７０の貼着面７０ｂに向けて延びる第１溝壁８２および第２溝壁８４のなす角度（θ1）は、例えば、直角に形成される。また、第１溝壁８２および第２溝壁８４と表面板材７０の表面７０ａとのなす角度（θ2およびθ2）は、左右それぞれ等しくなるように形成される。
【００２２】
第１折曲溝８０は、第１溝壁８２の中間点８６ａより表面板材７０の表面７０ａに向けて表面板材７０の表面７０ａと直交する第１面取り用溝壁８８ａと、第２溝壁８４の中間点８６ｂより表面板材７０の表面７０ａに向けて表面板材７０の表面７０ａと直交する第２面取り用溝壁８８ｂとを備える。さらに、第１面取り用溝壁８８ａの表面板材７０の表面７０ａ側の溝底より第２溝壁８４に向けて伸び、表面板材７０の表面を斜交する第３面取り用溝壁８８ｃと、第２面取り用溝壁の表面板材７０の表面７０ａ側の溝底より第１溝壁８２に向けて伸び、表面板材７０の表面を斜交する第４面取り用溝壁８８ｄとを備える。すなわち、第１面取り用溝壁８８ａと第２面取り用溝壁８８ｂとは、互いに略平行に形成される。
【００２３】
第３面取り用溝壁８８ｃと第４面取り用溝壁８８ｄとは、第１折曲溝８０の中間で、例えば、直交して、断面形状が略二等辺三角形の第１面取り部９２を形成する。このとき、第１面取り用溝壁８８ａと第３面取り用溝壁８８ｃとのなす角度（θ3）、および第２面取り用溝壁８８ｂと第４面取り用溝壁８８ｄとのなす角度（θ3）は、等しくなるように形成され、いずれも、例えば、４５度である。さらに、第１溝壁８２と第１面取り用溝壁８８ａとの鋭角側のなす角度（θ4）、および第２溝壁８４と第２面取り用溝壁８８ｂとの鋭角側のなす角度（θ4）は、等しくなるように形成され、いずれも、例えば、４５度である。言い換えると、θ3とθ4とは、常に等しくなるように形成される。また、第３面取り用溝壁８８ｃと第４面取り用溝壁８８ｄとのなす角度は、錯角により、θ3の２倍の角度と等しくなるように形成される。
【００２４】
第１面取り部９２の頂点は、第１溝壁８２と第１面取り用溝壁８８ａとの交点たる中間点８６ａおよび第２溝壁８４と第２面取り用溝壁８８ｂと交点たる中間点８６ｂと、第１折曲溝８０を閉着したときに交わる。そして、第１折曲溝８０を閉じて、第１溝壁８２と第２溝壁８４、第１面取り用溝壁８８ａと第３面取り用溝壁８８ｃ、第２面取り用溝壁８８ｂと第４面取り用溝壁８８ｄ、それぞれを接し合わせて接着すれば、第１面取り部９２の底辺部分で、面取りした形状を構成することができる。すなわち、上述の目的を達成するために、第１面取り部９２の一方の斜辺を形成する第３面取り用溝壁８８ｃの長さと、第１面取り用溝壁８８ａの長さは等しくなるように形成される。また、第１面取り部９２の他方の斜辺を形成する第４面取り用溝壁８８ｄの長さと、第２面取り用溝壁８８ｂとの長さは等しくなるように形成される。さらに、第１溝壁８２の長さと第２溝壁８４の長さも等しくなるように形成される。
【００２５】
表面シート９６は、表面板材７０を保護するとともに、これに模様を施すことで、間仕切り支柱１０のデザイン性を高めるために設けられる。表面シート９６は、表面板材７０を形成する、第１表面板材７２、第２表面板材７４および第３表面板材７６の表面７０ａに貼着される。すなわち、表面板材７０の表面７０ａに表面シート９６が貼着されることで、表面シート９６付きの表面板材７０である、表面シート付き表面板材７８が形成される。表面シート９６は、可撓性シートにより形成され、例えば、塩化ビニル、オレフィンなどのプラスチックシート、不織布の表面に天然木の突き板単板を貼着した突き板シート、樹脂含浸紙、ポリエチレン等の樹脂層を挟んだ紙シートが用いられる。表面シート９６は、その表面に木目などの印刷模様が施された柔軟な樹脂シートからなる。そして、表面シート９６は、丸鋸等で切断することができる材料で構成される。
【００２６】
なお、固定部６０は、図６に示すような固定部１６０に変更してもよい。固定部１６０は、固定部材１６２および接合部材６４ａ３により構成される。固定部材１６２は、第１支柱２０および第２支柱４２を所定の位置に施工するために接合部材６４ａ３により第１被固定部たる天側の天井面１００および第２被固定部たる地側の床面１０２に取り付けられ、この固定部材１６２を第１支柱２０および第２支柱４２のそれぞれの溝部３４において挟み込まれる。言い換えると、第１支柱２０と第２支柱４２が結合される際に、固定部材１６２は、第１支柱２０および第２支柱４２に形成されるそれぞれの溝部３４に嵌合される。この固定部材１６２は、例えば、略直方体に形成される。すなわち、固定部材１６２には、一対の第１嵌合面１６２ａおよび一対の第２嵌合面１６２ｂが形成される。固定部材１６２が、第１支柱２０に嵌合される際に、第１嵌合面１６２ａは、溝部３４の底面３４ａと接着し、第２嵌合面１６２ｂは、溝部３４の第１側面３４ｂおよび第２側面３４ｃと接着する。固定部材１６２は、例えば、ＭＤＦ（中密度繊維板：メディアム・デンシティ・ファイバーボード）、ＰＢ（パーティクル・ボード）、合板、木材、集成材およびプラスチック等により形成される。
この固定部材１６２を用いると、第１支柱２０等に固定部材１６２を固定する際において、接合部材６４ａ１および座金６４ｂを必要とせず、接着剤のみで固定部材１６２を第１支柱２０等への取り付けが可能となる。
【００２７】
また、表面板材７０において、第１折曲溝８０は、図７に示すような第１折曲溝１８０を有する表面板材１７０に変更してもよい。表面板材１７０は、表面１７０ａと貼着面１０ｂとが形成されている。この第１折曲溝１８０において、図７に示す表面板材１７０における第１表面板材１７２と第２表面板材１７４との境には、Ｖカット加工を施されて形成された第１折曲溝１８０が形成される。また、表面板材１７０における第２表面板材１７４と第３表面板材１７６との境には、Ｖカット加工を施されて形成された第２折曲溝１９０が形成される。
【００２８】
第１折曲溝１８０は、第１接合溝１８０ａおよび第２接合溝１８０ｂが平行に連続して横並びに設けられている。第１接合溝１８０ａおよび第２接合溝１８０ｂは、断面略Ｖ字形状に形成されている。第１接合溝１８０ａは、断面略Ｖ字の各一辺を形成する第１溝壁１８２および第２溝壁１８４により形成され、第２接合溝１８０ｂは、断面略Ｖ字の各一辺を形成する第３溝壁１８６および第４溝壁１８８により形成される。
【００２９】
第２溝壁１８４および第４溝壁１８８は、第１折曲溝１８０の中間で直交して、略二等辺三角形状の第１面取り部９２を形成する。そして、第１接合溝１８０ａを閉じて、第１溝壁１８２と第２溝壁１８４とを接し合わせて接着し、第２接合溝１８０ｂを閉じて、第３溝壁１８６と第４溝壁１８８とを接し合わせて接着すれば、第１面取り部１９２の底辺部分で面取りした形状を構成することができる。
そして、表面板材１７０の表面１７０ａに表面シート９６が貼着されることで、表面シート９６付きの表面板材１７０である、表面シート付き表面板材１７８が形成される。
【００３０】
次に、この間仕切り支柱１０を施工するための施工方法について説明する。図８は、この発明にかかる間仕切り支柱の施工過程を示す分解斜視図である。
まず、間仕切り支柱１０の取り付ける所定の位置の第２被固定部たる地側の床面１０２に第２固定部６０ｂを構成する固定部材６２の固定用板部６２ｂを接合部材６４ａ２により固定することで位置決めを行う。続いて、第２固定部６０ｂを構成する固定部材６２の支柱取り付け板部６２ａの面に沿って上方向に、かつ垂直方向、すなわち、固定部材６２に対して対向する方向における第１被固定部たる天側の天井面１００の位置に第１固定部６０ａを構成する固定部材６２を接合部材６４ａ２により取り付ける。このとき、第１固定部６０ａを構成する固定部材６２の支柱取り付け板部６２ａと第２固定部６０ｂを構成する固定部材６２の支柱取り付け板部６２ａとは略同一平面となる。
そして、表面シート付き表面板材７８が貼着された第１支柱２０の溝部３４の他方端部３４ｅに第２固定部６０ｂを構成する固定部材６２の支柱取り付け板部６２ａを接した上で、接合部材６４ａ１および座金６４ｂにより固定する。さらに、表面シート付き表面板材７８が貼着された第１支柱２０の溝部３４の一方端部３４ｄに第１固定部６０ａを構成する固定部材６２の支柱取り付け板部６２ａを接した上で、接合部材６４ａ１および座金６４ｂにより固定する。なお、座金６４ｂは、接合部材６４ａ１，６４ａ２の長さの調整、または補強のために用いられるものであり、接合部材６４ａ１，６４ａ２の長さが取り付けに際して適正で、または強度が適正であれば、用いなくてもよい。
続いて、表面シート付き表面板材７８が貼着された第１支柱２０の溝部３４の所定の位置に、接着剤を第１嵌合面５２および第２嵌合面５４に塗布した上で結合部材５０を嵌合させる。そして、表面シート付き表面板材７８が貼着された第２支柱４２と表面シート付き表面板材７８が貼着された第１支柱２０とにおける互いの裏面２８側を接着することで接合させることで、間仕切り支柱１０が完成し、施工が終了する。
なお、吊り天井に本発明にかかる間仕切り支柱１０を施工する場合は、第１固定部材６０ａを構成する固定部材６２を第１被固定部たる天側の天井面１００に取り付けるための横桟が別途必要であることに留意する。
【００３１】
本発明にかかる間仕切り支柱１０は、固定部６０が第１支柱２０および第２支柱４２の溝部３４により形成される空間に取り付けられることから、外部から視認される状態に取り付けられないので、間仕切り支柱１０の外観から生じる美感を高めることができる。さらに、本発明にかかる間仕切り支柱１０は、第１支柱２０および第２支柱４２を組み合わせて形成されることから、第２面取り部９４により形成される節の形状により、外観のデザイン性を高めることができる。
【００３２】
また、この発明にかかる間仕切り支柱１０は、表面シート付き表面板材７８が貼着された第１支柱２０および表面シート付き表面板材７８が貼着された第２支柱４２における一方面たる上面２２から他方面たる下面２４までの横断面形状が同一に形成されていることから、第１被固定部たる天側の天井面１００と第２被固定部たる地側の床面１０２との間の長さに応じて切断することで、施工する際に適宜容易に対応することができる。
【００３３】
さらに、この発明にかかる間仕切り支柱１０は、第１支柱２０および第２支柱４２に溝部３４を設けることで、この溝部３４により形成される空間に結合部材５０を備えることができることから、第１支柱２０に第２支柱４２を結合する際に、左右のずれを防止することができ、加えて、反りを防止することができる。
【００３４】
また、さらに、この発明にかかる間仕切り支柱１０を固定する際には、固定部６０を第１被固定部たる天側の天井面１００および第２被固定部たる地側の床面１０２に接合手段６４のみにより固定するだけで、容易に施工することができる。
【００３５】
なお、本実施例においては、表面板材７０を用いているが、これに限られるものではなく、間仕切り支柱１０は、第１支柱２０、第２支柱４２、結合部材５０、固定部６０および表面シート９６により構成されてもよい。すなわち、表面板材７０を第１支柱２０および第２支柱４２に貼着せずに、直接、表面シート９６を、第１支柱２０および第２支柱４２の表面２６、右側面３０、左側面３２、第１結合面３６および第２結合面３８を覆い被せるように貼着して設けるようにしてもよい。第１支柱２０に表面シート９６を貼着した例を、図９に示す。また、このとき、第１支柱２０および第２支柱４２のそれぞれの表面２６と右側面３０、表面２６と左側面３２、左側面３２と第１結合面３６および右側面３０と第２結合面３８とのそれぞれの交線部分に面取り部４０を施すようにしてもよい。さらに、間仕切り支柱１０は、第１支柱２０、第２支柱４２、結合部材５０および固定部６０のみにより構成されてもよい。
【００３６】
また、本実施例においては、第１被固定部を天側とし、第被固定部を地側としたものを示したが、これに限られるものではなく、間仕切り支柱１０は、略水平に、すなわち、床面１０２に対して略平行に施工されるようにしてもよいし、間仕切り支柱１０を施工する場所に応じて適切な方向に施工されるようにしてもよい。なお、このとき、第１被固定部および第２被固定部は、例えば、柱や壁等に対応する。
【００３７】
また、本実施例における表面板材７０，１７０に施されて形成されているＶカット溝（図５および図７参照）に限定されるものではなく、平滑面、丸面の溝、角溝等、種々のＶカット溝が施されて形成された表面板材を用いてもよい。
【００３８】
また、本実施例においては、第３表面板材７６は、第１支柱２０または第２支柱４２の第１結合面３６および第２結合面３８の横方向の半分の大きさと略同一の大きさの略矩形に形成されることとしたが、これに限られるものではなく、第３表面板材７６は、第１支柱２０または第２支柱４２の第１結合面３６および第２結合面３８の大きさと略同一の大きさの略矩形に形成されてもよい。
【００３９】
さらに、本実施例において、結合部材５０は、略直方体としたが、これに限られるものではなく、例えば、円柱型のダボにより形成されてもよい。この場合、第１支柱２０および第２支柱４２は、そのダボの形状に対応した溝部３４が形成される。
【００４０】
また、本実施例においては、第１支柱２０および第２支柱４２に形成される溝部３４の断面形状は、略矩形に形成されるが、これに限られるものではなく、溝部３４の断面形状は、三角形、円形、楕円形に形成されてもよい。この場合、結合部材５０は、前記の各断面形状に対応した結合部材５０の形状が形成される。
【００４１】
さらにまた、本実施例において、第１折曲溝８０の第３面取り用溝壁８８ｃと第４面取り用溝壁８８ｄとは、第１折曲溝８０の中間では直交するとしているが、それに限るものではなく、鋭角に形成されてもよい。
【００４２】
さらに、本実施例において、表面板材７０には表面シート９６が貼着されているが、それに限られるものではなく、表面シート９６が貼着されていなくてもよい。
【産業上の利用可能性】
【００４３】
この発明にかかる間仕切り支柱は、目隠し、化粧間柱（ルーバー）、スリットまたは格子等に利用することができ、種々の間仕切りとして利用できる。
【符号の説明】
【００４４】
１０  間仕切り支柱
２０  第１支柱
２２  上面
２４  下面
２６  表面
２８  裏面
３０  右側面
３２  左側面
３４  溝部
３４ａ  底面
３４ｂ  第１側面
３４ｃ  第２側面
３４ｄ  一方端部
３４ｅ  他方端部
３６  第１結合面
３８  第２結合面
４０  面取り部
４２  第２支柱
５０  結合部材
５２，１６２ａ  第１嵌合面
５４，１６２ｂ  第２嵌合面
５６  面取り部
６０，１６０  固定部
６０ａ  第１固定部
６０ｂ  第２固定部
６２，１６２  固定部材
６２ａ  支柱取り付け板部
６２ｂ  固定用板部
６４  接合手段
６４ａ１，６４ａ２，６４ａ３  接合部材
６４ｂ  座金
７０，１７０  表面板材
７０ａ，１７０ａ  表面
７０ｂ，１７０ｂ  貼着面
７２，１７２  第１表面板材
７４，１７４  第２表面板材
７６，１７６  第３表面板材
７８，１７８  表面シート付き表面板材
８０，１８０  第１折曲溝
８２，１８２  第１溝壁
８４，１８４  第２溝壁
８６ａ，８６ｂ  中間点
８８ａ  第１面取り用溝壁
８８ｂ  第２面取り用溝壁
８８ｃ  第３面取り用溝壁
８８ｄ  第４面取り用溝壁
９０，１９０  第２折曲溝
９２，１９２  第１面取り部
９４，１９４  第２面取り部
１００  天井面
１０２  床面
１８０ａ  第１接合溝
１８０ｂ  第２接合溝
１８６  第３溝壁
１８８  第４溝壁
２００  間仕切り支柱
２０２  基板
２０４  受板
２０６  アジャスト具
２０８  圧縮スプリング
【図１】
2011052407.tif 000003
【図２】
2011052407.tif 000004
【図３】
2011052407.tif 000005
【図４】
2011052407.tif 000006
【図５】
2011052407.tif 000007
【図６】
2011052407.tif 000008
【図７】
2011052407.tif 000009
【図８】
2011052407.tif 000010
【図９】
2011052407.tif 000011
【図１０】
2011052407.tif 000012